(57)【要約】【課題】周波数信号をセグメント化して無線送信装置から無線受信装置に送信する際の送信電力を低減することができる無線通信システム、無線送信装置、無線受信装置及び無線通信方法を提供する。【解決手段】無線受信装置と通信する無線送信装置であって、前記無線受信装置に送信する周波数信号を複数のセグメントに分割する分割部と、前記分割部が分割したセグメントを周波数軸上に配置する配置部と、前記配置部が周波数軸上に配置した各セグメントに含まれるいずれかの周波数信号に対して１より小さい利得を乗算する乗算部と、前記乗算部が１より小さい利得を乗算した信号を前記無線受信装置に送信する送信部とを備える。【選択図】図１
2010011023.tif 000002
【特許請求の範囲】
【請求項１】
無線送信装置と無線受信装置とを備える無線通信システムであって、
前記無線送信装置は、
前記無線受信装置に送信する周波数信号を複数のセグメントに分割する分割部と、
前記分割部が分割したセグメントを周波数軸上に配置する配置部と、
前記配置部が周波数軸上に配置した各セグメントに含まれるいずれかの周波数信号に対して１より小さい利得を乗算する乗算部と、
前記乗算部が１より小さい利得を乗算した信号を前記無線受信装置に送信する送信部とを備え、
前記無線受信装置は、
前記送信部が送信した信号を受信する受信部と、
前記乗算部が乗算した利得を用いて前記受信部が受信した信号から周波数信号を検出する信号検出部とを備えることを特徴とする無線通信システム。
【請求項２】
前記乗算部は、前記配置部が周波数軸上に配置した各セグメントの両端の周波数信号に対して１より小さい利得を乗算することを特徴とする請求項１に記載の無線通信システム。
【請求項３】
前記乗算部は、窓関数を用いて前記利得を乗算することを特徴とする請求項１に記載の無線通信システム。
【請求項４】
前記乗算部は、前記配置部が周波数軸上に配置した複数のセグメントが隣り合う場合には、その複数のセグメントに含まれるいずれかの周波数信号に対して１より小さい利得を乗算することを特徴とする請求項１に記載の無線通信システム。
【請求項５】
無線受信装置と通信する無線送信装置であって、
前記無線受信装置に送信する周波数信号を複数のセグメントに分割する分割部と、
前記分割部が分割したセグメントを周波数軸上に配置する配置部と、
前記配置部が周波数軸上に配置した各セグメントに含まれるいずれかの周波数信号に対して１より小さい利得を乗算する乗算部と、
前記乗算部が１より小さい利得を乗算した信号を前記無線受信装置に送信する送信部と、
を備えることを特徴とする無線送信装置。
【請求項６】
無線送信装置と通信する無線受信装置であって、
前記無線送信装置が送信する信号を受信する受信部と、
周波数軸上に配置した各セグメントに含まれるいずれかの周波数信号に対して前記無線送信装置が乗算した１より小さい利得を用いて前記受信部が受信した信号から周波数信号を検出する信号検出部と、
を備えることを特徴とする無線受信装置。
【請求項７】
無線送信装置と無線受信装置とを用いた無線通信方法であって、
前記無線送信装置は、
前記無線受信装置に送信する周波数信号を複数のセグメントに分割する分割過程と、
前記分割過程で分割したセグメントを周波数軸上に配置する配置過程と、
前記配置過程で周波数軸上に配置した各セグメントに含まれるいずれかの周波数信号に対して１より小さい利得を乗算する乗算過程と、
前記乗算過程で１より小さい利得を乗算した信号を前記無線受信装置に送信する送信過程とを有し、
前記無線受信装置は、
前記送信過程で送信した信号を受信する受信過程と、
前記乗算過程で乗算した利得を用いて前記受信過程で受信した信号から周波数信号を検出する信号検出過程とを有することを特徴とする無線通信方法。
【発明の詳細な説明】
【技術分野】
【０００１】
本発明は、無線通信システム、無線送信装置、無線受信装置及び無線通信方法に関する。
【背景技術】
【０００２】
セルラシステムの上り回線では、小型な端末がデータを送信する場合に、電力の利用効率の観点からシングルキャリア方式が広く用いられている。
例えば、第３．９世代の公衆移動通信システムにおいては、データ信号をブロック化し、ＤＦＴ（Ｄｉｓｃｒｅｔｅ  Ｆｏｕｒｉｅｒ  Ｔｒａｎｓｆｏｒｍ：離散フーリエ変換）により時間周波数変換し、得られた周波数信号を任意の周波数に配置するＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ：シングルキャリア周波数分割多重接続）方式と呼ばれる伝送方式が用いられる。
【０００３】
このようなシングルキャリアを基本とした伝送方式において、さらに柔軟に無線リソースを制御する伝送技術として、ダイナミックスペクトル制御（ＤＳＣ：Ｄｙｎａｍｉｃ  Ｓｐｅｃｔｒｕｍ  Ｃｏｎｔｒｏｌ）が知られている（非特許文献１）。
【０００４】
ダイナミックスペクトル制御（ＤＳＣ）を適用する場合の無線送信装置（図９）および無線受信装置（図１０）について以下に説明する。ここでは、Ｎｕポイントのシングルキャリアデータをブロック化し、Ｎｄポイントの離散周波数に割り当てる。なお、Ｎｕ＜Ｎｄである。
【０００５】
図９は、従来から知られている無線送信装置１０００の構成を示す概略ブロック図である。無線送信装置１０００は、符号部１００１、変調部１００２、ＤＦＴ部１００３、スペクトル配置部１００４、ＩＤＦＴ（Ｉｎｖｅｒｓｅ  Ｄｉｓｃｒｅｔｅ  Ｆｏｕｒｉｅｒ  Ｔｒａｎｓｆｏｒｍ：逆離散フーリエ変換）部１００５、パイロット生成部１００６、パイロット挿入部１００７、ＣＰ（Ｃｙｃｌｉｃ  Ｐｒｅｆｉｘ：サイクリックプレフィックス）挿入部１００８、Ｄ／Ａ（Ｄｉｇｉｔａｌ  ｔｏ  Ａｎａｌｏｇｕｅ：ディジタル／アナログ）変換部１００９、無線部１０１０、送信アンテナ１０１１を備えている。
【０００６】
図９の無線送信装置１０００において、情報ビットは符号部１００１により誤り訂正符号化され、変調部１００２に出力される。符号部１００１から出力された符号ビットは、変調部１００２において符号ビットから変調信号が生成され、データ信号として、ＤＦＴ部１００３に出力される。
次に、ＤＦＴ部１００３においてＮｕポイントの離散周波数信号に変換され、得られた離散周波数信号の一部は、スペクトル配置部１００４により離散周波数信号単位で受信状況などに応じてＮｄポイントからＮｕポイントが選択され、離散周波数信号が割り当てられる。
【０００７】
次に、割り当てられた周波数信号はＩＤＦＴ部１００５によりＮｄポイントの時間信号に変換され、パイロット挿入部１００７に出力される。一方、パイロット生成部１００６では、無線伝搬路の特性を推定するためのパイロット信号が生成され、パイロット多重部１００７によりデータ信号と多重され、ＣＰ挿入部１００８によりデータ信号の一部の後方の波形をサイクリックプレフィックス（ＣＰ）として付加され、Ｄ／Ａ変換部１００９によりディジタル信号からアナログ信号に変換され、無線部１０１０により無線周波数にアップコンバートされ、送信アンテナ１０１１より無線受信装置に送信される。
【０００８】
図１０は、従来から知られている無線受信装置２０００の構成を示す概略ブロック図である。無線受信装置２０００は、受信アンテナ１０２１、無線部１０２２、Ａ／Ｄ（Ａｎａｌｏｇｕｅ  ｔｏ  Ｄｉｇｉｔａｌ：アナログ／ディジタル）変換部１０２３、ＣＰ除去部１０２４、パイロット分離部１０２５、伝搬路推定部１０２６、スペクトル割当情報生成部１０２７、バッファ１０２８、伝搬路特性抽出部１０２９、ＤＦＴ部１０３０、スペクトル抽出部１０３１、等化部１０３２、ＩＤＦＴ部１０３３、復調部１０３４、復号部１０３５を備えている。
【０００９】
図１０に示される無線受信装置２０００では、無線送信装置１０００からの受信信号は受信アンテナ１０２１で受信され、無線部１０２２により無線周波数からベースバンド信号にダウンコンバートされ、Ａ／Ｄ変換部１０２３に出力される。
次に、Ａ／Ｄ変換部１０２３によりアナログ信号からディジタル信号に変換され、ＣＰ除去部１０２４に出力される。ディジタル信号に変換された受信信号は、ＣＰ除去部１０２４によりサイクリックプレフィックス（ＣＰ）を除去され、パイロット分離部１０２５により受信パイロット信号と受信データ信号に分離される。
【００１０】
受信パイロット信号は、伝搬路推定部１０２６により割当可能帯域であるＮｄポイント分の伝搬路の周波数利得が推定され、スペクトル割当情報生成部１０２７により受信状況の良好な離散周波数をＮｕポイント選択され、スペクトル割当情報が生成され、無線送信装置１０００（図９）へフィードバックされる。
一方、生成されたスペクトル割当情報は、次の伝送機会における周波数信号の抽出に利用されるので、バッファ１０２８に保存される。
【００１１】
一方、伝搬路推定部１０２６により推定された伝搬路特性は、前の伝送機会で保存されていたバッファ１０２８からのスペクトル割当情報を基に、伝送に使用した周波数の伝搬路利得が伝搬路特性抽出部１０２９において抽出される。
ＤＦＴ部１０３０によりＮｄポイントの離散フーリエ変換（ＤＦＴ）を施すことで周波数信号に変換され、伝搬路特性の抽出処理と同様にバッファ１０２８に保存されていたスペクトル割当情報からスペクトル抽出部１０３１によりＮｕポイントの受信データ信号が抽出される。
【００１２】
この段階で伝搬路特性、受信データ信号ともにシングルキャリア伝送方式と等価な伝送を行ったものとみなせることから、伝搬路特性抽出部１０２９から得られた伝搬路特性とスペクトル抽出部１０３１から得られた受信データ信号を用いて等化部１０３２において無線伝搬路による周波数信号の歪みを補償する等化処理が施される。
等化処理された信号は、ＩＤＦＴ部１０３３においてＮｕポイントの逆離散フーリエ変換（ＩＤＦＴ）を施すことにより時間信号に変換される。その後、復調部１０３４において変調信号からビット単位の受信信号に分離され、復号部１０３５において誤り訂正復号処理が行われ、復号ビットが得られる。
【００１３】
このように、ダイナミックスペクトル制御（ＤＳＣ）では、受信状況の良好な離散周波数に離散周波数信号を独立に配置することで、受信状況の良好な周波数を選択して伝送できる周波数選択ダイバーシチ効果が獲得でき、良好な伝送特性が得られる（非特許文献１）。
【００１４】
しかしながら、この方法は、シングルキャリアの周波数信号を周波数軸上に不連続に配置することにより離散周波数信号の間にゼロが配置される。これは、図９に示されている無線送信装置１０００のＩＤＦＴ部１００５の出力で高いピーク電力が生じ、元々ピーク電力を抑える目的でシングルキャリア信号を基にしたことを考慮すると、有効な方法ではなかった。
これに対して、非特許文献２では、得られた離散周波数信号を複数の連続する離散周波数信号でセグメント化し、セグメント単位で周波数軸上に配置する方法が記載されている。
【非特許文献１】Ｓ.Ｓａｍｐｅｉ  ａｎｄ  Ｓ.Ｉｂｉ、“Ｆｌｅｘｉｂｌｅ  Ｓｐｅｃｔｒｕｍ  Ｃｏｎｔｒｏｌ  ａｎｄ  Ｒｅｃｅｉｖｅｒ  Ｐｅｒｆｏｒｍａｎｃｅ  Ｉｍｐｒｏｖｅｍｅｎｔ  Ｔｅｃｈｎｏｌｏｇｉｅｓ  ｆｏｒ  Ｂ３Ｇ  Ｗｉｒｅｌｅｓｓ  Ｓｙｓｔｅｍｓ”  ｉｎ  Ｐｒｏｃ.  ＩＥＥＥ  ＰＩＭＲＣ２００６、Ｈｅｌｓｉｎｋｉ、Ｆｉｎｌａｎｄ、Ｓｅｐｔ.２００６.
【非特許文献２】難波秀夫他、“ＰＡＰＲを考慮したダイナミックスペクトル制御に関する検討”、電子情報通信学会２００８年総合大会、Ｂ−５−５１、２００８年３月
【発明の開示】
【発明が解決しようとする課題】
【００１５】
しかしながら、周波数信号をセグメント化したとしてもシングルキャリア伝送よりもピーク電力が高く、無線送信装置から無線受信装置に信号を送信する際の送信電力が大きいという問題があった。
【００１６】
本発明はこのような事情を鑑みてなされたものであり、その目的は、周波数信号をセグメント化して無線送信装置から無線受信装置に送信する際の送信電力を低減することができる無線通信システム、無線送信装置、無線受信装置及び無線通信方法を提供することにある。
【課題を解決するための手段】
【００１７】
（１）  本発明は、上記課題を解決するためになされたもので、本発明の一態様による無線通信システムは、無線送信装置と無線受信装置とを備える無線通信システムであって、前記無線送信装置は、前記無線受信装置に送信する周波数信号を複数のセグメントに分割する分割部と、前記分割部が分割したセグメントを周波数軸上に配置する配置部と、前記配置部が周波数軸上に配置した各セグメントに含まれるいずれかの周波数信号に対して１より小さい利得を乗算する乗算部と、前記乗算部が１より小さい利得を乗算した信号を前記無線受信装置に送信する送信部とを備え、前記無線受信装置は、前記送信部が送信した信号を受信する受信部と、前記乗算部が乗算した利得を用いて前記受信部が受信した信号から周波数信号を検出する信号検出部とを備える。
【００１８】
（２）  また、本発明の一態様による無線通信システムの前記乗算部は、前記配置部が周波数軸上に配置した各セグメントの両端の周波数信号に対して１より小さい利得を乗算する。
【００１９】
（３）  また、本発明の一態様による無線通信システムの前記乗算部は、窓関数を用いて前記利得を乗算する。
【００２０】
（４）  また、本発明の一態様による無線通信システムの前記乗算部は、前記配置部が周波数軸上に配置した複数のセグメントが隣り合う場合には、その複数のセグメントに含まれるいずれかの周波数信号に対して１より小さい利得を乗算する。
【００２１】
（５）  また、本発明の一態様による無線送信装置は、無線受信装置と通信する無線送信装置であって、前記無線受信装置に送信する周波数信号を複数のセグメントに分割する分割部と、前記分割部が分割したセグメントを周波数軸上に配置する配置部と、前記配置部が周波数軸上に配置した各セグメントに含まれるいずれかの周波数信号に対して１より小さい利得を乗算する乗算部と、前記乗算部が１より小さい利得を乗算した信号を前記無線受信装置に送信する送信部とを備える。
【００２２】
（６）  また、本発明の一態様による無線受信装置は、無線送信装置と通信する無線受信装置であって、前記無線送信装置が送信する信号を受信する受信部と、周波数軸上に配置した各セグメントに含まれるいずれかの周波数信号に対して前記無線送信装置が乗算した１より小さい利得を用いて前記受信部が受信した信号から周波数信号を検出する信号検出部とを備える。
【００２３】
（７）  また、本発明の一態様による無線通信方法は、無線送信装置と無線受信装置とを用いた無線通信方法であって、前記無線送信装置は、前記無線受信装置に送信する周波数信号を複数のセグメントに分割する分割過程と、前記分割過程で分割したセグメントを周波数軸上に配置する配置過程と、前記配置過程で周波数軸上に配置した各セグメントに含まれるいずれかの周波数信号に対して１より小さい利得を乗算する乗算過程と、前記乗算過程で１より小さい利得を乗算した信号を前記無線受信装置に送信する送信過程とを有し、前記無線受信装置は、前記送信過程で送信した信号を受信する受信過程と、前記乗算過程で乗算した利得を用いて前記受信過程で受信した信号から周波数信号を検出する信号検出過程とを有する。
【発明の効果】
【００２４】
本発明の無線通信システム、無線送信装置、無線受信装置及び無線通信方法では、周波数信号をセグメント化して無線送信装置から無線受信装置に送信する際の送信電力を低減することができるという顕著な効果を奏する。
【発明を実施するための最良の形態】
【００２５】
以下の実施形態では、本発明を、セルラシステムにおける上り回線（移動局装置から基地局装置への信号の送信）に適用し、ブロック化される元のシングルキャリア信号の信号数がＮｕであり、割当可能な周波数ポイント数がＮｄである場合について説明するが、本発明を下り回線（基地局装置から移動局装置への信号の送信）に適用しても良い。
また、等化処理として、最小二乗誤差（ＭＭＳＥ：Ｍｉｎｉｍｕｍ  Ｍｅａｎ  Ｓｑｕａｒｅ  Ｅｒｒｏｒ）規範の周波数領域等化を用いる場合について説明する。なお、無線受信装置において、最小二乗誤差規範以外の他の等化技術を用いても良い。
また、以下の実施形態において、セグメントとは、得られたＮｄポイントの周波数信号を複数のブロック（集団）にブロック化した際の各々のブロックの称呼である。また、セグメントサイズとは、各ブロックに含まれる周波数信号のポイント数を表している。
【００２６】
［第１の実施形態］
始めに、本発明の第１の実施形態について説明する。本発明の第１の実施形態による無線通信システムは、無線送信装置と無線受信装置とを備えている。
なお、本実施形態のみならず、全ての実施形態において、一例として、無線送信装置は、無線通信システムの小型携帯端末に備えられ、無線受信装置は、基地局装置又は中継装置に備えられる。
【００２７】
図１は、本発明の第１の実施形態による無線送信装置１００の構成を示す概略ブロック図である。無線送信装置１００は、符号部１、変調部２、ＤＦＴ（Ｄｉｓｃｒｅｔｅ  Ｆｏｕｒｉｅｒ  Ｔｒａｎｓｆｏｒｍ：離散フーリエ変換）部３、スペクトル配置部４、振幅制限部５、ＩＤＦＴ（Ｉｎｖｅｒｓｅ  Ｄｉｓｃｒｅｔｅ  Ｆｏｕｒｉｅｒ  Ｔｒａｎｓｆｏｒｍ：逆離散フーリエ変換）部６、パイロット生成部７、パイロット挿入部８、ＣＰ（Ｃｙｃｌｉｃ  Ｐｒｅｆｉｘ：サイクリックプレフィックス）挿入部９、Ｄ／Ａ（Ｄｉｇｉｔａｌ  ｔｏ  Ａｎａｌｏｇｕｅ：ディジタル／アナログ）変換部１０、無線部１１、送信アンテナ１２を備えている。
【００２８】
図１の無線送信装置１００において、情報ビットは、符号部１により誤り訂正符号化され、変調部２に出力される。そして、変調部２において符号ビットから例えば１６ＱＡＭ（１６  Ｑｕａｄｒａｔｕｒｅ  Ａｍｐｌｉｔｕｄｅ  Ｍｏｄｕｌａｔｉｏｎ：１６値直交振幅変調）のような変調信号が生成され、データ信号として、ＤＦＴ部３に出力される。
次に、ＤＦＴ部３において、Ｎｕポイントの離散周波数信号に変換され、得られた離散周波数信号の一部は、スペクトル配置部４により離散周波数信号単位で受信状況などに応じてＮｄポイントからＮｕポイントが選択され、離散周波数信号が割り当てられる。
【００２９】
振幅制限部５では、ＤＦＴ部３から出力された周波数信号を、スペクトル割当情報に基づいて周波数軸上に割り当てることによりセグメント化し、各セグメントの両端の周波数信号に対して、振幅を制限する利得（例えば、０．５など）を乗算し、ＩＤＦＴ部６に出力する。
なお、セグメントに含まれる周波数信号が１つ又は２つである場合には、セグメントの両端という概念がないので、この場合には、セグメントに含まれる周波数信号に対して利得を乗算しないようにしても良い。
【００３０】
次に、振幅制限部５から出力された周波数信号は、ＩＤＦＴ部６によりＮｄポイントの時間信号に変換され、パイロット挿入部８に出力される。一方、パイロット生成部７では、無線伝搬路の特性を推定するためのパイロット信号が生成され、パイロット挿入部８によりデータ信号と多重される。多重の方法は、時間多重、周波数多重の何れであっても良い。パイロット挿入部８の出力は、ＣＰ挿入部９によりデータ信号の一部の後方の波形がサイクリックプレフィックス（ＣＰ）として、そのデータ信号の前方に付加され、次に、Ｄ／Ａ変換部１０によりディジタル信号からアナログ信号に変換され、無線部１１により無線周波数にアップコンバートされ、送信アンテナ１２より無線受信装置２００に送信される。
【００３１】
図２は、本発明の第１の実施形態による無線受信装置２００の構成を示す概略ブロック図である。無線受信装置２００は、受信アンテナ２０、無線部２１、Ａ／Ｄ（Ａｎａｌｏｇｕｅ  ｔｏ  Ｄｉｇｉｔａｌ：アナログ／ディジタル）変換部２２、ＣＰ除去部２３、パイロット分離部２４、伝搬路推定部２５、スペクトル割当情報生成部２６、バッファ２７、等価伝搬路算出部２８、伝搬路特性抽出部２９、ＤＦＴ部３０、スペクトル抽出部３１、等化部３２、ＩＤＦＴ部３３、復調部３４、復号部３５を備えている。
【００３２】
図２に示される無線受信装置２００において、無線送信装置１００（図１）からの受信信号は、受信アンテナ２０で受信され、無線部２１により無線周波数からベースバンド信号にダウンコンバートされ、Ａ／Ｄ変換部２２に出力される。
次に、無線部２１から出力される信号は、Ａ／Ｄ変換部２２によりアナログ信号からディジタル信号に変換され、ＣＰ除去部２３に出力される。
Ａ／Ｄ変換部２２によってディジタル信号に変換された受信信号は、ＣＰ除去部２３によりサイクリックプレフィックス（ＣＰ）を除去され、パイロット分離部２４により受信パイロット信号と受信データ信号に分離される。
【００３３】
受信パイロット信号は、伝搬路推定部２５により割当可能帯域であるＮｄポイント分の伝搬路の周波数利得が推定され、スペクトル割当情報生成部２６により受信状況の良好な離散周波数がＮｕポイントだけ選択されて、スペクトル割当情報が生成され、図示しない無線部、アンテナを介して無線送信装置１００（図１）へフィードバックされる。
一方で、生成されたスペクトル割当情報は次の伝送機会における周波数信号の抽出に利用するために、バッファ２７に保存される。
【００３４】
等価伝搬路算出部２８では、無線送信装置１００における振幅制限部５で乗算されたピーク電力の抑圧のための利得を、該当するセグメントの両端の周波数応答に乗算する。
例えば、Ｎｄ＝１２、Ｎｕ＝８としたとき、伝搬路推定部２５により推定される伝搬路特性Ξは、以下の式（１）のようになる。
【００３５】
【数１】
2010011023.tif 000003
【００３６】
ここで、Ξ（ｋ）は割当可能なＮｄポイントの周波数帯域において、ｋ番目の周波数の複素伝搬路利得である。次に、セグメントサイズを４とし、２から５番目の離散周波数と８から１１番目の離散周波数に送信信号を配置すると、セグメントの両端にピーク抑圧の目的で０．５の利得を乗算した場合の等価伝搬路算出部２８により算出される等価伝搬路特性Ξｅｑは、以下の式（２）のようになる。
【００３７】
【数２】
2010011023.tif 000004
【００３８】
式（２）のように得られた等価伝搬路から割り当てられた周波数の伝搬路利得だけ抽出した等化処理に用いられる伝搬路特性Ξ’は最終的に以下の式（３）のようになる。
【００３９】
【数３】
2010011023.tif 000005
【００４０】
式（３）で得られた伝搬路特性は、等化部３２における等化処理に用いられる。ここで、同様のパラメータでＮｄポイントからＮｕポイントに抽出された周波数信号に対して乗算される等化処理を施す行列Ｗ（タップ行列とも称する）は、以下の式（４）で与えられる。
【００４１】
【数４】
2010011023.tif 000006
【００４２】
式（４）において、σ２は雑音の分散である。また、Ｉは対角成分のみが１であり、残りの要素が０のＮｕ×Ｎｕの単位行列である。またｘＨは行列もしくはベクトルｘの複素共役を取り、転置した（エルミート転置を施した）随伴行列である。このとき、等化部３２における等化処理は、以下の式（５）のようになる。
【００４３】
【数５】
2010011023.tif 000007
【００４４】
ただし、式（５）においてＲ’はＮｄポイントの受信信号からＮｕポイントを抽出した実質的な受信信号であり、以下の式（６）で表される。
【００４５】
【数６】
2010011023.tif 000008
【００４６】
ただし、ｘＴはベクトルｘおよび行列ｘを転置させる演算子である。このようにピークを低減させつつ従来のダイナミックスペクトル制御（ＤＳＣ）と同様の処理を行うことができるため、なるべく高い周波数選択ダイバーシチ効果を獲得しつつピーク電力を低減することができる。
なお、振幅を制限する利得を本実施形態では０．５としたが、１より小さい値で設定すればその他の値を用いてもよく、最も効率的にピークを抑圧できるものとしては、セグメントの両端の周波数信号だけエネルギーを半分にするために利得を１／√２とすると良い。
【００４７】
一方、伝搬路推定部２５により推定された伝搬路特性は、前の伝送機会で保存されていたバッファ２７からのスペクトル割当情報に基づいて、伝送に使用した周波数の伝搬路利得を伝搬路特性抽出部２９において抽出する。
【００４８】
ＤＦＴ部３０によりＮｄポイントの離散フーリエ変換（ＤＦＴ）を施すことで周波数信号に変換され、伝搬路特性の抽出処理と同様にバッファ２７に保存されていたスペクトル割当情報からスペクトル抽出部３１によりＮｕポイントの受信データ信号が抽出される。
この段階で伝搬路特性、受信データ信号ともにシングルキャリア伝送方式と等価な伝送を行ったものとみなせることから、伝搬路特性抽出部２９から得られた伝搬路特性とスペクトル抽出部３１から得られた受信データ信号を用いて、かつ、式（５）により、等化部３２において無線伝搬路による周波数信号の歪みを補償する等化処理が施される。
【００４９】
等価部３２によって等化処理された信号は、ＩＤＦＴ部３３においてＮｕポイントの逆離散フーリエ変換（ＩＤＦＴ）を施すことにより周波数信号から時間信号に変換される。その後、復調部３４において変調信号からビット単位の受信信号に分離され、復号部３５において誤り訂正復号処理が行われ、復号ビットが得られる。
【００５０】
図３（ａ）及び図３（ｂ）は、本発明の第１の実施形態による無線送信装置１００の振幅制限部５の処理を説明する図である。図３（ａ）及び図３（ｂ）において、横軸は周波数である。
図３（ａ）は、無線送信装置１００の振幅制限部５に入力される信号の一例を示しており、周波数軸上に４つのセグメントｃ０１〜ｃ０４が配置されている。セグメントｃ０１には周波数信号ｓ００１〜ｓ００４が含まれており、セグメントｃ０２には周波数信号ｓ００５〜ｓ００８が含まれており、セグメントｃ０３には周波数信号ｓ００９〜ｓ０１２が含まれており、セグメントｃ０４には周波数信号ｓ０１３〜ｓ０１６が含まれている。
【００５１】
また、図３（ｂ）は、無線送信装置１００の振幅制限部５から出力される信号の一例を示しており、周波数軸上に４つのセグメントｃ１１〜ｃ１４が配置されている場合を示している。セグメントｃ１１には周波数信号ｓ１０１〜ｓ１０４が含まれており、セグメントｃ１２には周波数信号ｓ１０５〜ｓ１０８が含まれており、セグメントｃ１３には周波数信号ｓ１０９〜ｓ１１２が含まれており、セグメントｃ１４には周波数信号ｓ１１３〜ｓ１１６が含まれている。
【００５２】
セグメントｃ１１の両端の周波数信号ｓ１０１及びｓ１０４は、セグメントｃ１１の両端以外の周波数信号ｓ１０２及びｓ１０３に対して振幅が小さくなっている。
また、セグメントｃ１２の両端の周波数信号ｓ１０５及びｓ１０８は、セグメントｃ１２の両端以外の周波数信号ｓ１０６及びｓ１０７に対して振幅が小さくなっている。
また、セグメントｃ１３の両端の周波数信号ｓ１０９及びｓ１１３は、セグメントｃ１３の両端以外の周波数信号ｓ１１１及びｓ１１２に対して振幅が小さくなっている。
また、セグメントｃ１４の両端の周波数信号ｓ１１３及びｓ１１６は、セグメントｃ１４の両端以外の周波数信号ｓ１１４及びｓ１１５に対して振幅が小さくなっている。
【００５３】
図３（ａ）に示されるように周波数信号をセグメント化することによるピーク電力が増大する原因は、周波数信号を周波数軸上に配置したときにセグメントの間に０が配置されるためであり、この場合、周波数信号が不連続になる。
本実施形態では、この問題を解決するために、図３（ｂ）に示されるように各セグメントに含まれる複数の周波数信号のうち、両端の周波数信号の振幅を低く制限し、無線受信装置２００側で周波数信号の利得の制限を、伝搬路による減衰とみなして等化する。
【００５４】
図４は、本発明の第１の実施形態による無線通信システムの処理を示すシーケンス図である。始めに、無線送信装置１００のスペクトル配置部４（分割部とも称する）は、無線受信装置２００に送信する周波数信号を、複数のセグメントｃ０１〜ｃ０４に分割する（ステップＳ１１）。
そして、無線送信装置１００のスペクトル配置部４（配置部とも称する）は、ステップＳ１１で分割したセグメントｃ０１〜ｃ０４を、図３（ａ）に示すように周波数軸上に配置する（ステップＳ１２）。
【００５５】
そして、無線送信装置１００の振幅制限部５（乗算部とも称する）は、ステップＳ１２でスペクトル配置部４が周波数軸上に配置した各セグメントｃ０１〜ｃ０４に含まれるいずれかの周波数信号に対して、１より小さい利得を乗算する。具体的には、本実施形態では、振幅制限部５は、ステップＳ１２でスペクトル配置部４が周波数軸上に配置した各セグメント（例えば、セグメントｃ０１）の両端の周波数信号（例えば、周波数信号ｓ００１及びｓ００４）に対して、１より小さい利得を乗算する（ステップＳ１３）。これにより、図３（ａ）の周波数信号ｓ００１〜ｓ０１６の振幅は、図３（ｂ）の周波数信号ｓ１０１〜ｓ１１６の振幅のようになる。
【００５６】
そして、無線送信装置１００の無線部１１（送信部とも称する）は、ステップＳ１３で振幅制限部５が１より小さい利得を乗算した信号であって、ＩＤＦＴ部６、パイロット挿入部８、ＣＰ挿入部９、Ｄ／Ａ変換部１０を経由した信号を、送信アンテナ１２を介して無線受信装置２００に送信する（ステップＳ１４）。
そして、無線受信装置２００の無線部２１（受信部とも称する）は、ステップＳ１４で無線送信装置１００の無線部１１が送信アンテナ１２を介して送信した信号を受信する（ステップＳ１５）。
【００５７】
そして、無線受信装置２００の等化部３２（信号検出部とも称する）は、無線送信装置１００の振幅制限部５（図１）が乗算した利得を用いて、図３（ｂ）に示す信号を図３（ａ）に示す信号に変換することにより、ステップＳ１５で無線部２１が受信した信号であって、Ａ／Ｄ変換部２２、ＣＰ除去部２３、パイロット分離部２４、ＤＦＴ部３０、スペクトル抽出部３１を経由した信号から周波数信号を検出する（ステップＳ１６）。
なお、無線送信装置１００の振幅制限部５がステップＳ１３で用いる利得と、無線受信装置２００の等化部３２がステップＳ１６で用いる利得は、通信を開始する前に、無線送信装置１００と無線受信装置２００に予め設定されている。
【００５８】
上述した第１の実施形態による無線通信システムを用いることにより、周波数信号をセグメント化して無線送信装置１００から無線受信装置２００に送信する際の送信電力を低減することができる。
また、第１の実施形態による無線通信システムでは、セグメントサイズを小さくすることなくピーク電力を低減することができるため、高い選択ダイバーシチ効果と柔軟な周波数割当を実現しながら高い電力利用効率を実現することができる。
【００５９】
［第２の実施形態］
次に、本発明の第２の実施形態について説明する。本発明の第２の実施形態による通信システムは、無線送信装置と無線受信装置とを備えている。第２の実施形態による無線送信装置と無線受信装置は、第１の実施形態による無線送信装置１００（図１）と無線受信装置２００（図２）の構成及び機能と同様である。ただし、振幅制御部５及び伝搬路特性抽出部２９において用いるピーク電力抑圧のための利得の態様が異なる。従って、構成及び機能の同様な部分の説明を省略する。
【００６０】
図５（ａ）及び図５（ｂ）は、本発明の第２の実施形態による無線送信装置１００の振幅制限部５の処理を説明する図である。図５（ａ）及び図５（ｂ）において、横軸は周波数である。
図５（ａ）は、無線送信装置１００の振幅制限部５に入力される信号の一例を示しており、周波数軸上に４つのセグメントｃ０１〜ｃ０４が配置されている。セグメントｃ０１には周波数信号ｓ００１〜ｓ００４が含まれており、セグメントｃ０２には周波数信号ｓ００５〜ｓ００８が含まれており、セグメントｃ０３には周波数信号ｓ００９〜ｓ０１２が含まれており、セグメントｃ０４には周波数信号ｓ０１３〜ｓ０１６が含まれている。
【００６１】
また、図５（ｂ）は、無線送信装置１００の振幅制限部５から出力される信号の一例を示しており、周波数軸上に４つのセグメントｃ２１〜ｃ２４が配置されている。セグメントｃ２１には周波数信号ｓ２０１〜ｓ２０４が含まれており、セグメントｃ２２には周波数信号ｓ２０５〜ｓ２０８が含まれており、セグメントｃ２３には周波数信号ｓ２０９〜ｓ２１２が含まれており、セグメントｃ２４には周波数信号ｓ２１３〜ｓ２１６が含まれている。
【００６２】
セグメントｃ２１の両端の周波数信号ｓ２０１及びｓ２０４は、セグメントｃ２１の両端以外の周波数信号ｓ２０２及びｓ２０３に対して振幅が小さくなっている。
また、セグメントｃ２２の両端の周波数信号ｓ２０５及びｓ２０８は、セグメントｃ２２の両端以外の周波数信号ｓ２０６及びｓ２０７に対して振幅が小さくなっている。
また、セグメントｃ２３の両端の周波数信号ｓ２０９及びｓ２１３は、セグメントｃ２３の両端以外の周波数信号ｓ２１１及びｓ２１２に対して振幅が小さくなっている。
また、セグメントｃ２４の両端の周波数信号ｓ２１３及びｓ２１６は、セグメントｃ２４の両端以外の周波数信号ｓ２１４及びｓ２１５に対して振幅が小さくなっている。
【００６３】
図５（ａ）に示す信号のままでは、無線送信装置１００から無線受信装置２００に送信する信号の送信電力が大きくなってしまう。そこで、本実施形態では、図５（ｂ）に示されるように、従来から知られている窓関数を各セグメントに含まれる周波数信号に乗算する。窓関数としては、ハミング窓やハニング窓、ブラックマン窓などを用いることができる。
ハミング窓、ハニング窓、ブラックマン窓の窓関数は、それぞれ以下の式（７）、式（８）、式（９）で表される。
【００６４】
【数７】
2010011023.tif 000009
【００６５】
【数８】
2010011023.tif 000010
【００６６】
【数９】
2010011023.tif 000011
【００６７】
式（７）〜式（９）において、πは円周率であり、Ｎｓはセグメント内に含まれる離散周波数信号の数である。また、式（７）〜式（９）において、ｋは割当可能な帯域の離散周波数指標を表しているが、利得を計算するときは各セグメントについて最も周波数の低いものを便宜的にｋ＝０として計算する。
例えば、３から１０番目に配置されたセグメントを考える場合、実際にはｋ＝３であるが、ｋ＝０からｋ＝７と置き換え、式（７）〜式（９）の値を計算して窓利得を算出する。
【００６８】
無線送信装置１００と無線受信装置２００との間で窓関数は、通信開始前に予め設定されており、無線受信装置２００側では、スペクトル割当情報から同様の計算法により窓利得を算出できる。よって、第１の実施形態に示したように等価的に伝搬路の利得として扱うことにより、無線受信装置２００で信号を検出することができる。
ここでは、窓の開始点をセグメント内の最も低い周波数成分をｋ＝０として窓関数を施す場合について説明するが、セグメントサイズが所定値よりも小さい場合などには、最も周波数の低い離散周波数信号に対してｋ＝０とするのではなく、ｋ＝１やｋ＝２などとして等価的にｋ＝０の点に０が配置された周波数となるようにしても良い。すなわち、各セグメントサイズより広い周波数を計測し、その区間に窓を乗算しても良い。
【００６９】
図６は、本発明の第２の実施形態による無線通信システムの処理を示すシーケンス図である。始めに、無線送信装置１００のスペクトル配置部４（分割部とも称する）は、無線受信装置２００に送信する周波数信号を、複数のセグメントｃ０１〜ｃ０４に分割する（ステップＳ２１）。
そして、無線送信装置１００のスペクトル配置部４（配置部とも称する）は、ステップＳ２１で分割したセグメントｃ０１〜ｃ０４を、図５（ａ）に示すように周波数軸上に配置する（ステップＳ２２）。
【００７０】
そして、無線送信装置１００の振幅制限部５（乗算部とも称する）は、ステップＳ２２でスペクトル配置部４が周波数軸上に配置した各セグメントｃ０１〜ｃ０４に含まれるいずれかの周波数信号に対して、窓関数を用いて１より小さい利得を乗算する。具体的には、本実施形態では、振幅制限部５は、ステップＳ２２でスペクトル配置部４が周波数軸上に配置した各セグメント（例えば、セグメントｃ０１）の両端の周波数信号（例えば、周波数信号ｓ００１及びｓ００４）に対して、窓関数を用いて１より小さい利得を乗算する（ステップＳ２３）。これにより、図５（ａ）の周波数信号ｓ００１〜ｓ０１６の振幅は、図５（ｂ）の周波数信号ｓ２０１〜ｓ２１６の振幅のようになる。
【００７１】
そして、無線送信装置１００の無線部１１（送信部とも称する）は、ステップＳ２３で振幅制限部５が窓関数を用いて１より小さい利得を乗算した信号であって、ＩＤＦＴ部６、パイロット挿入部８、ＣＰ挿入部９、Ｄ／Ａ変換部１０、無線部１１を経由した信号を、送信アンテナ１２を介して無線受信装置２００に送信する（ステップＳ２４）。
そして、無線受信装置２００の無線部２１（受信部とも称する）は、ステップＳ２４で無線送信装置１００の無線部１１が送信アンテナ１２を介して送信した信号を受信する（ステップＳ２５）。
【００７２】
そして、無線受信装置２００の等化部３２（信号検出部とも称する）は、無線送信装置１００の振幅制限部５（図１）が窓関数を用いて乗算した利得を用いて、図５（ｂ）に示す信号を図５（ａ）に示す信号に変換することにより、ステップＳ２５で無線部２１が受信した信号であって、Ａ／Ｄ変換部２２、ＣＰ除去部２３、パイロット分離部２４、ＤＦＴ部３０、スペクトル抽出部３１を経由した信号から周波数信号を検出する（ステップＳ２６）。
なお、無線送信装置１００の振幅制限部５がステップＳ２３で用いる窓関数や利得と、無線受信装置２００の等化部３２がステップＳ２６で用いる窓関数や利得は、通信を開始する前に、無線送信装置１００と無線受信装置２００に予め設定されている。
【００７３】
上述した第２の実施形態による無線通信システムを用いることにより、周波数信号をセグメント化して無線送信装置１００から無線受信装置２００に送信する際の送信電力を低減することができる。
また、第２の実施形態による無線通信システムでは、セグメントサイズを小さくすることなくピーク電力を低減することができるため、高い選択ダイバーシチ効果と柔軟な周波数割当を実現しながら高い電力利用効率を実現することができる。
【００７４】
［第３の実施形態］
次に、本発明の第３の実施形態について説明する。本発明の第３の実施形態による通信システムは、無線送信装置と無線受信装置とを備えている。第３の実施形態による無線送信装置と無線受信装置は、第１の実施形態による無線送信装置１００（図１）と無線受信装置２００（図２）の構成及び機能と同様である。ただし、振幅制御部５による振幅制御の態様が異なる。従って、構成及び機能の同様な部分の説明を省略する。
【００７５】
図７（ａ）及び図７（ｂ）は、本発明の第３の実施形態による無線送信装置１００の振幅制限部５の処理を説明する図である。図７（ａ）及び図７（ｂ）において、横軸は周波数である。
図７（ａ）は、第３の実施形態による無線送信装置１００の振幅制限部５に入力される信号の一例を示しており、周波数軸上に３つのセグメントｃ０１、ｃ０２、ｃ０５が配置されている。
【００７６】
なお、周波数信号ｓ０１２と周波数信号ｓ０１３とは周波数軸上で隣接しているため、周波数信号ｓ００９〜ｓ０１２と周波数信号ｓ０１３〜ｓ０１６は、１つのセグメントｃ０５となっている。
セグメントｃ０１には周波数信号ｓ００１〜ｓ００４が含まれており、セグメントｃ０２には周波数信号ｓ００５〜ｓ００８が含まれており、セグメントｃ０５には周波数信号ｓ００９〜ｓ０１６が含まれている。
【００７７】
また、図７（ｂ）は、第３の実施形態による無線送信装置１００の振幅制限部５から出力される信号の一例を示しており、周波数軸上に３つのセグメントｃ３１〜ｃ３３が配置されている。
なお、周波数信号ｓ３１２と周波数信号ｓ３１３とは周波数軸上で隣接しているため、周波数信号ｓ３０９〜ｓ３１２と周波数信号ｓ３１３〜ｓ３１６は、１つのセグメントｃ３３となっている。
セグメントｃ３１には周波数信号ｓ３０１〜ｓ３０４が含まれており、セグメントｃ３２には周波数信号ｓ３０５〜ｓ３０８が含まれており、セグメントｃ３３には周波数信号ｓ３０９〜ｓ３１６が含まれている。
【００７８】
セグメントｃ３１の両端の周波数信号ｓ３０１及びｓ３０４は、セグメントｃ３１の両端以外の周波数信号ｓ３０２及びｓ３０３に対して振幅が小さくなっている。
また、セグメントｃ３２の両端の周波数信号ｓ３０５及びｓ３０８は、セグメントｃ３２の両端以外の周波数信号ｓ３０６及びｓ３０７に対して振幅が小さくなっている。
また、セグメントｃ３３の両端の周波数信号ｓ３０９及びｓ３１６は、セグメントｃ３３の両端以外の周波数信号ｓ３１０、ｓ３１１、ｓ３１２、ｓ３１３、ｓ３１４、ｓ３１５に対して振幅が小さくなっている。
【００７９】
図７（ａ）では、４つの連続する周波数信号を単位としてセグメント化されており、伝搬路変動などの確率的な要因により２つのセグメント（周波数信号ｓ００９〜ｓ０１２を含むセグメントと、周波数信号ｓ０１３〜ｓ０１６を含むセグメント）が隣り合った結果、等価的に８つの連続する離散周波数信号ｓ００９〜ｓ０１６がセグメント化されたように測定される。
【００８０】
この場合、第１又は第２の実施形態のようにセグメントの両端に利得を乗算することや、セグメント単位の窓を乗算することに意味はなく、伝搬路の利得だけを下げるようになってしまう。
そこで、本実施形態では図７（ｂ）に示されるように、隣り合うセグメントが存在する場合には、０が配置される周波数の隣の周波数信号のみ振幅を制限する。
なお、第２の実施形態においても、隣り合った連続した周波数信号をセグメントとみなして窓関数を乗算するようにしても良い。これにより、送信電力のピークを効果的に抑圧することができる。
【００８１】
本実施形態では、セグメント化される周波数信号が１つや２つの場合であっても、隣り合うセグメントに周波数信号が３つ以上含まれていれば、隣り合うセグメントを一体化させて、その一体化させたセグメントの両端の周波数信号の振幅に１より小さい利得を振幅制限部５により乗算することによって、無線送信装置１００から無線受信装置２００に送信する信号の送信電力を低減することができる。
この場合、無線送信装置１００の振幅制限部５は、スペクトル割当情報からどのセグメントが隣り合うかを判定し、その隣り合うセグメントの両端の周波数信号の振幅に１より小さい利得を乗算する。
【００８２】
図８は、本発明の第３の実施形態による無線通信システムの処理を示すシーケンス図である。始めに、無線送信装置１００のスペクトル配置部４（分割部とも称する）は、無線受信装置２００に送信する周波数信号を、複数のセグメントｃ０１、ｃ０２、ｃ０５に分割する（ステップＳ３１）。ここで、スペクトル配置部４は、周波数信号ｓ００９〜ｓ０１２を含むセグメントと、周波数信号ｓ０１３〜ｓ０１６を含むセグメントは隣り合っているため、これら２つのセグメントを一体化したセグメントｃ０５とする。
そして、無線送信装置１００のスペクトル配置部４（配置部とも称する）は、ステップＳ３１で分割したセグメントｃ０１、ｃ０２、ｃ０５を、図７（ａ）に示すように周波数軸上に配置する（ステップＳ３２）。
【００８３】
そして、無線送信装置１００の振幅制限部５（乗算部とも称する）は、ステップＳ３２でスペクトル配置部４が周波数軸上に配置した各セグメントｃ０１、ｃ０２に含まれるいずれかの周波数信号に対して、１より小さい利得を乗算する。また、無線送信装置１００の振幅制限部５は、ステップＳ３２でスペクトル配置部４が周波数軸上に配置した各セグメントｃ０５に含まれるいずれかの周波数信号に対して、１より小さい利得を乗算する。
【００８４】
具体的には、本実施形態では、振幅制限部５は、ステップＳ３２でスペクトル配置部４が周波数軸上に配置した各セグメント（例えば、セグメントｃ０１）の両端の周波数信号（例えば、周波数信号ｓ００１及びｓ００４）に対して、１より小さい利得を乗算する。
また、振幅制限部５は、ステップＳ３２でスペクトルは位置部４が周波数軸上に配置した複数のセグメント（周波数信号ｓ００９〜ｓ０１２を含むセグメントと、周波数信号ｓ０１３〜ｓ０１６を含むセグメント）が隣り合う場合には、その複数のセグメントからなるセグメント（ここでは、セグメントｃ０５）の両端の周波数信号（例えば、周波数信号ｓ００９及びｓ０１６）に対して、１より小さい利得を乗算する（ステップＳ３３）。これにより、図７（ａ）の周波数信号ｓ００１〜ｓ０１６の振幅は、図７（ｂ）の周波数信号ｓ３０１〜ｓ３１６の振幅のようになる。
【００８５】
そして、無線送信装置１００の無線部１１（送信部とも称する）は、ステップＳ３３で振幅制限部５が１より小さい利得を乗算した信号であって、ＩＤＦＴ部６、パイロット挿入部８、ＣＰ挿入部９、Ｄ／Ａ変換部１０を経由した信号を、送信アンテナ１２を介して無線受信装置２００に送信する（ステップＳ３４）。
そして、無線受信装置２００の無線部２１（受信部とも称する）は、ステップＳ３４で無線送信装置１００の無線部１１が送信アンテナ１２を介して送信した信号を受信する（ステップＳ３５）。
【００８６】
そして、無線受信装置２００の等化部３２（信号検出部とも称する）は、無線送信装置１００の振幅制限部５（図１）が乗算した利得を用いて、図７（ｂ）に示す信号を図７（ａ）に示す信号に変換することにより、ステップＳ３５で無線部２１が受信した信号であって、Ａ／Ｄ変換部２２、ＣＰ除去部２３、パイロット分離部２４、ＤＦＴ部３０、スペクトル抽出部３１を経由した信号から周波数信号を検出する（ステップＳ３６）。
なお、無線送信装置１００の振幅制限部５がステップＳ３３で用いる利得と、無線受信装置２００の等化部３２がステップＳ３６で用いる利得は、通信を開始する前に、無線送信装置１００と無線受信装置２００に予め設定されている。
【００８７】
上述した第３の実施形態による無線通信システムを用いることにより、周波数信号をセグメント化して無線送信装置１００から無線受信装置２００に送信する際の送信電力を低減することができる。
また、第３の実施形態による無線通信システムでは、セグメントサイズを小さくすることなくピーク電力を低減することができるため、高い選択ダイバーシチ効果と柔軟な周波数割当を実現しながら高い電力利用効率を実現することができる。
【００８８】
なお、以上説明した実施形態において、無線送信装置１００（図１）の各部や無線受信装置２００（図２）の各部の機能を実現するためのプログラムをコンピュータ読み取り可能な記録媒体に記録して、この記録媒体に記録されたプログラムをコンピュータシステムに読み込ませ、実行することにより無線送信装置１００や無線受信装置２００の制御を行っても良い。なお、ここでいう「コンピュータシステム」とは、ＯＳや周辺機器等のハードウェアを含むものとする。
【００８９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９０】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【００９１】
【図１】本発明の第１の実施形態による無線送信装置１００の構成を示す概略ブロック図である。
【図２】本発明の第１の実施形態による無線受信装置２００の構成を示す概略ブロック図である。
【図３】本発明の第１の実施形態による無線送信装置１００の振幅制限部５の処理を説明する図である。
【図４】本発明の第１の実施形態による無線通信システムの処理を示すシーケンス図である。
【図５】本発明の第２の実施形態による無線送信装置１００の振幅制限部５の処理を説明する図である。
【図６】本発明の第２の実施形態による無線通信システムの処理を示すシーケンス図である。
【図７】本発明の第３の実施形態による無線送信装置１００の振幅制限部５の処理を説明する図である。
【図８】本発明の第３の実施形態による無線通信システムの処理を示すシーケンス図である。
【図９】従来から知られている無線送信装置１０００の構成を示す概略ブロック図である。
【図１０】従来から知られている無線受信装置２０００の構成を示す概略ブロック図である。
【符号の説明】
【００９２】
１・・・符号部、２・・・変調部、３・・・ＤＦＴ部、４・・・スペクトル配置部、５・・・振幅制限部、６・・・ＩＤＦＴ部、７・・・パイロット生成部、８・・・パイロット挿入部、９・・・ＣＰ挿入部、１０・・・Ｄ／Ａ変換部、１１・・・無線部、１２・・・送信アンテナ、２０・・・受信アンテナ、２１・・・無線部、２２・・・Ａ／Ｄ変換部、２３・・・ＣＰ除去部、２４・・・パイロット分離部、２５・・・伝搬路推定部、２６・・・スペクトル割当情報生成部、２７・・・バッファ、２８・・・等価伝搬路算出部、２９・・・伝搬路特性抽出部、３０・・・ＤＦＴ部、３１・・・スペクトル抽出部、３２・・・等化部、３３・・・ＩＤＦＴ部、３４・・・復調部、３５・・・復号部、１００・・・無線送信装置、２００・・・無線受信装置
【図１】
2010011023.tif 000012
【図２】
2010011023.tif 000013
【図３】
2010011023.tif 000014
【図４】
2010011023.tif 000015
【図５】
2010011023.tif 000016
【図６】
2010011023.tif 000017
【図７】
2010011023.tif 000018
【図８】
2010011023.tif 000019
【図９】
2010011023.tif 000020
【図１０】
2010011023.tif 000021